(57)【要約】  ガス油分離プラント（ＧＯＳＰ）において混合された複数の抗井からトレーサーブレイクスルーを特定するための方法及びシステムが提供される。例示の炭化水素貯留層監視方法は、ＧＯＳＰの水ラインによって運ばれた流体を定期的にサンプリングすることを含む。ＧＯＳＰは、炭化水素貯留層の複数の領域に形成された複数の抗井からの混合抗井炭化水素流体を受け取り、水を含む炭化水素成分に混合抗井炭化水素流体を分離し、水ラインを介して水を流すように構成される。複数の領域は、それぞれのトレーサーでタグ付けされる。各トレーサーは、それぞれの抗井を囲む炭化水素貯留層のそれぞれの領域に注入されると共に、抗井ブレイクスルーに応答してそれぞれの抗井に流れ込むことができる。当該方法は、１又は複数のトレーサーについて各流体サンプルを解析すると共に、各流体サンプルを解析した結果に基づき流体ブレイクスルーのために複数の抗井を監視する。
2020515743.tif 000002
【特許請求の範囲】
【請求項１】
抗井トレーサー検知システムであって：
ガス油分離プラント（ＧＯＳＰ）の水ラインに流体的に接続された流体サンプリングラインを介して前記水ラインに流体的に連通するトレーサー検知システムを備え、前記ＧＯＳＰは：
複数の抗井からの混合抗井炭化水素流体を受け取るものであり、
複数の抗井の各々は、炭化水素貯留層の対応する地下ゾーンに繋がっており、前記対応する地下ゾーンはそれぞれのトレーサーでタグ付けされており、前記それぞれのトレーサーは、抗井ブレイクスルーに応答して前記抗井に流れ込み、
水を含む炭化水素成分に前記混合抗井炭化水素流体を分離し、
前記水を前記水ラインに流す、ように構成され、
前記トレーサー検知システムは：
前記流体サンプリングラインから流体サンプルを受け取り、
前記複数の抗井に対応する前記地下ゾーンのタグ付けに用いた前記トレーサーの存在を特定するために、前記流体サンプルを分析し、
前記流体サンプルを分析することに応答して、前記流体サンプル内のトレーサーを識別し、
前記流体サンプル内の前記トレーサーを識別することに応答して、前記識別されたトレーサーでタグ付けされた地下ゾーンに対応する抗井を識別する、ように構成される、
抗井トレーサー検知システム。
【請求項２】
前記抗井トレーサー検知システムは、トレーサーを１兆分の１（ｐｐｔ）又は１０００兆分の１（ｐｐｑ）の範囲で検知するように構成される、
請求項１に記載の抗井トレーサー検知システム。
【請求項３】
前記抗井トレーサー検知システムは、レーザ駆動の蛍光分光計又はガスクロマトグラフィー質量分析計の少なくとも一方を備える、
請求項１に記載の抗井トレーサー検知システム。
【請求項４】
各トレーサーは、光学的にタグ付けされたナノ粒子トレーサー又は質量タグ付けされたナノ粒子トレーサーの少なくとも一方を備える、
請求項１に記載の抗井トレーサー検知システム。
【請求項５】
前記水ライン及び前記流体サンプリングラインに流体的に繋がる流体バルブを更に備え、前記流体バルブは、前記水ラインから前記流体サンプリングラインに前記流体サンプルを送るように作動させるよう構成される、
請求項１に記載の抗井トレーサー検知システム。
【請求項６】
前記流体サンプリングラインと前記トレーサ−検知システムとの間に位置決めされたフィルタを更に備え、
前記フィルタは、前記流体サンプル内の混入物質を除去するように構成される、
請求項１に記載の抗井トレーサー検知システム。
【請求項７】
前記混入物質は、トレーサーを含まない、
請求項６に記載の抗井トレーサー検知システム。
【請求項８】
前記流体サンプルラインから前記トレーサー検知システムへ前記流体サンプルを流すように構成されるポンプを更に備える、
請求項１に記載の抗井トレーサー検知システム。
【請求項９】
コンピュータシステムを更に備え、前記コンピュータシステムは：
一又は複数のプロセッサと；
コンピュータ読取可能媒体であって：
前記対応する複数の抗井を識別する複数の第１識別子、及び前記複数の抗井に対応する前記地下ゾーンのタグ付けに用いた前記トレーサーを識別する複数の第２識別子と；
前記識別されたトレーサーでタグ付けされた前記抗井を識別する動作を実行するために前記一又は複数のプロセッサによって実行可能なコンピュータ命令と、を格納する、前記コンピュータ読取可能媒体と；を備え、前記コンピュータシステムは：
前記複数の第２識別子の中から、前記トレーサー検知システムによって識別された前記トレーサーを識別する第２識別子を識別し、
前記複数の第１識別子の中から、前記識別されたトレーサーでタグ付けされた前記地下ゾーンに対応する前記抗井を識別する第１識別子を識別する、ように構成される、
請求項１に記載の抗井トレーサー検知システム。
【請求項１０】
前記識別された抗井の識別を制御局に送るように構成される送信機を更に備える、
請求項１に記載の抗井トレーサー検知システム。
【請求項１１】
前記流体サンプルの体積は、実質的に５０ミリリットル以下である、
請求項１に記載の抗井トレーサー検知システム。
【請求項１２】
抗井ブレイクスルーを識別する方法であって：
ガス油分離プラント（ＧＯＳＰ）の水ラインから流体サンプルをトレーサー検知システムに流すステップであって、前記ＧＯＳＰは：
複数の抗井から混合抗井炭化水素流体を受け取り、前記複数の抗井の各々は、炭化水素貯留層の対応する地下ゾーンに連通しており、前記対応する地下ゾーンは、それぞれのトレーサーでタグ付けされ、前記それぞれのトレーサーは、抗井ブレイクスルーに応答して前記抗井に流れ込み、
水を含む炭化水素成分に前記混合抗井炭化水素流体を分離し、
前記水ラインを介して前記水を流す、ステップと；
前記トレーサー検知システムによって、前記トレーサーの存在に関して前記流体サンプルを分析するステップと；
前記トレーサー検知システムによって、前記トレーサーでタグ付けされた前記地下ゾーンから一の地下ジーンを識別するステップと；
前記トレーサー検知システムによって、前記識別された地下ゾーンに対応する抗井を識別するステップと；を備える、
抗井ブレイクスルーを識別する方法。
【請求項１３】
前記流体サンプルを前記トレーサー検知システムに流すステップは、ポンプを用いて、前記流体サンプルを前記トレーサー検知システムへ送り込むことを含む、
請求項１２に記載の抗井ブレイクスルーを識別する方法。
【請求項１４】
前記流体サンプルを前記トレーサー検知システムに流すステップは、前記流体サンプルを前記トレーサー検知システムに重力により流すことを含む、
請求項１２に記載の抗井ブレイクスルーを識別する方法。
【請求項１５】
前記識別された抗井の識別を受け取るステップと；
前記炭化水素貯留層内の前記識別された抗井において、前記識別された抗井内への前記識別されたトレーサーの流れを監視するステップと；を更に備える、
請求項１２に記載の抗井ブレイクスルーを識別する方法。
【請求項１６】
前記流体サンプル内の前記トレーサーを特定することは、前記流体サンプルに対してレーザ駆動の蛍光分光法又はガスクロマトグラフィー質量分析法の少なくとも一方を実行することによって前記トレーサーを検知することを備える、
請求項１２に記載の抗井ブレイクスルーを識別する方法。
【請求項１７】
前記流体サンプルにおける前記トレーサーの濃度は、１兆分の１（ｐｐｔ）又は１０００兆分の１（ｐｐｑ）の範囲にある、
請求項１６に記載の抗井ブレイクスルーを識別する方法。
【請求項１８】
各トレーサーは、光学的にタグ付けされたナノ粒子トレーサー又は質量タグ付けされたナノ粒子トレーサーの少なくとも一方を備える、
請求項１６に記載の抗井ブレイクスルーを識別する方法。
【請求項１９】
前記特定されたトレーサーでタグ付けされた前記複数の抗井のうちの前記抗井を識別することは；
前記トレーサーを識別するコンピュータに格納された第１の識別子を識別するステップと；
前記識別されたコンピュータに格納された第１の識別子にマッピングされたコンピュータに格納された第２の識別子を識別し、前記コンピュータに格納された第２の識別子は前記抗井を識別するステップと；を更に備える、
請求項１２に記載の抗井ブレイクスルーを識別する方法。
【請求項２０】
前記コンピュータに格納された第１の識別子及び前記コンピュータに格納された第２の識別子を識別することは、
コンピュータ読取可能媒体に、前記トレーサーを識別する第１識別子、及び前記抗井を識別する第２識別子を格納するステップであって、前記複数の第１識別子は、前記コンピュータに格納された第１の識別子を含み、前記複数の第２識別子は、前記コンピュータに格納された第２の識別子を含む、ステップと；
前記コンピュータ読取可能媒体に動作可能に結合された一又は複数のプロセッサによって、前記トレーサーを識別する第１識別子及び前記第１識別子にマッピングされた第２識別子のための前記複数の第１識別子及び前記複数の第２識別子を検索するステップと；を更に備える、
請求項１９に記載の抗井ブレイクスルーを識別する方法。
【請求項２１】
前記流体サンプルを前記水ラインから前記トレーサー検知システムに流体的に接続された流体サンプリングラインへ移すために、前記水ライン及び前記流体サンプリングラインを流体的に接続する流体バルブを作動させるステップを更に備える、
請求項１２に記載の抗井ブレイクスルーを識別する方法。
【請求項２２】
前記トレーサー検知システムへ前記流体サンプルを流す前に、前記流体サンプルから混入物質をフィルタリングするステップを更に備える、
請求項１２に記載の抗井ブレイクスルーを識別する方法。
【請求項２３】
前記混入物質は、トレーサーを含まない、
請求項２２に記載の抗井ブレイクスルーを識別する方法。
【請求項２４】
炭化水素貯留層を監視する方法であって：
ガス油分離プラント（ＧＯＳＰ）の水ラインによって運ばれた流体を定期的にサンプリングするステップであって、前記ＧＯＳＰは、炭化水素貯留層の複数の領域に形成された複数の抗井から混合抗井炭化水素流体を受け取り、水を含む炭化水素成分に前記混合抗井炭化水素流体を分離し、前記水ラインから前記水を流すように構成され、前複数の領域は、複数のトレーサーでタグ付けされ、各トレーサーは、それぞれの抗井を囲む前記炭化水素貯留層のそれぞれの領域に注入され、各トレーサーは、抗井ブレイクスルーに応答して、前記それぞれの領域から前記それぞれの抗井内へ流れる、ステップと；
前記複数のトレーサーのうちの１又は複数のトレーサーについて、サンプリングされた各流体を解析するステップと；
サンプリングされた各流体を解析した結果に基づき、流体ブレイクスルーのために前記複数の抗井を監視するステップと；を備える、
炭化水素貯留層を監視する方法。
【請求項２５】
前記流体を定期的にサンプリングするステップは、一日に一回又は二回、前記流体をサンプリングする、
請求項２４に記載の炭化水素貯留層を監視する方法。
【請求項２６】
サンプリングされた各流体を解析した結果に基づき、流体ブレイクスルーのために前記複数の抗井を監視するステップは：
流体サンプルを解析することに応答して、前記流体サンプル中のトレーサーの存在を特定するステップと；
前記トレーサーが注入された抗井を囲む前記炭化水素貯留層の領域を識別するステップと；
前記流体ブレイクスルーのために前記抗井を監視するステップと；を備える、
請求項２４に記載の炭化水素貯留層を監視する方法。
【発明の詳細な説明】
【技術分野】
【０００１】
本願は、２０１７年３月２３日付で出願された米国仮特許出願第６２／４７５，６８５号の優先権を主張し、その内容全体は参照により本明細書に組み込まれる。
【０００２】
本明細書は、炭化水素生産抗井システムに関し、特にトレーサー検知システムを持つ炭化水素生産坑井システムに関する。
【背景技術】
【０００３】
トレーサー（ｔｒａｃｅｒ）は、貯留層を通る油流及び水流のパターンを追跡するために、石油産業で一般的に使用される。トレーサーは、ある貯留層に注入でき、その後、それらの到着時に、存在するトレーサーの濃度を特定するために、生産ラインがサンプリングされる。濃度データは、流体流のパターンを理解すると共に貯留層の他の特性、例えば、細孔容積や流れ特性を推測するために使用できる。多抗井のトレーサーテストのデータは、抗井の接続性、スイープ効率、並びに破砕及びスーパーＫゾーンを含む地質異常の特定に関する貴重な情報を提供できる。
【０００４】
現在、個々の抗井からの監視（モニタリング）及びトレーサーブレイクスルー（ｔｒａｃｅｒ  ｂｒｅａｋｔｈｒｏｕｇｈ）は、毎日又は毎週のようにサンプルを収集すること、流体サンプルを実験室に送ること、及びトレーサー含有量のために流体を浄化（精製）すると共に測定することにより手動で行われる。これには、毎日又は毎週のオペレータの介入と、サンプル測定のための長いターンオーバー時間が必要である。
【発明の概要】
【０００５】
本明細書は、自動化されたインライントレーサー（ｉｎｌｉｎｅ  ｔｒａｃｅｒ）検知システムを持つガスと油（原油）との分離プラント（Ｇａｓ  Ｏｉｌ  Ｓｅｐａｒａｔｉｏｎ  Ｐｌａｎｔ、ＧＯＳＰ、ガス油分離プラント）において、１つの共通ラインに同時に混合された複数の抗井からのトレーサーブレイクスルーを特定するための方法及びシステムを説明する。
【０００６】
本明細書の一態様は、抗井トレーサー検知システムを特徴とする。この坑井トレーサー検知システムは、ガス油分離プラント（ＧＯＳＰ）の水ラインに流体的に接続された流体サンプリングラインを介して前記水ラインに流体的に連通するトレーサー検知システムを含む。前記ＧＯＳＰは、複数の抗井からの混合抗井炭化水素流体を受け取るように構成される。複数の抗井の各々は、炭化水素貯留層の対応する地下ゾーンに繋がっている。前記対応する地下ゾーンはそれぞれのトレーサーでタグ付けされており、前記それぞれのトレーサーは、抗井ブレイクスルーに応答して前記抗井に流れ込むことができる。前記ＧＳＯＰは、水を含む炭化水素成分に前記混合抗井炭化水素流体を分離し、前記水を前記水ラインに流す、ように構成されている。前記トレーサー検知システムは、前記流体サンプリングラインから流体サンプルを受け取り、前記複数の抗井に対応する前記地下ゾーンのタグ付けに用いた前記トレーサーの存在を特定するために、前記流体サンプルを分析する。前記トレーサー検知システムは、前記流体サンプルを分析することに応答して、前記流体サンプル内のトレーサーを識別し、前記流体サンプル内の前記トレーサーを識別することに応答して、前記識別されたトレーサーでタグ付けされた地下ゾーンに対応する抗井を識別する。
【０００７】
前記抗井トレーサー検知システムは、トレーサーを１兆分の１（ｐｐｔ）又は１０００兆分の１（ｐｐｑ）の範囲で検知するように構成することができる。前記抗井トレーサー検知システムは、レーザ駆動の蛍光分光計又はガスクロマトグラフィー質量分析計の少なくとも一方を含むことができる。各トレーサーは、光学的にタグ付けされたナノ粒子トレーサー又は質量タグ付けされたナノ粒子トレーサーの少なくとも一方を含むことができる。
【０００８】
いくつかの実施では、システムは、前記水ライン及び前記流体サンプリングラインに流体的に繋がる流体バルブを更に含む。前記流体バルブは、前記水ラインから前記流体サンプリングラインに前記流体サンプルを送るように作動させるよう構成される。システムは、前記流体サンプリングラインと前記トレーサ−検知システムとの間に位置決めされたフィルタを更に含む。前記フィルタは、前記流体サンプル内の混入物質を除去するように構成される。  前記混入物質は、トレーサーを含まない。システムは、前記流体サンプルラインから前記トレーサー検知システムへ前記流体サンプルを流すように構成されるポンプを更に含む。システムは、前記識別された抗井の識別を制御局に送るように構成される送信機を更に含む。
【０００９】
いくつかの実施では、システムは、一又は複数のプロセッサと、コンピュータ読取可能媒体とを含む、コンピュータシステムを含む。コンピュータ読取可能媒体は、前記対応する複数の抗井を識別する複数の第１識別子、及び前記複数の抗井に対応する前記地下ゾーンのタグ付けに用いた前記トレーサーを識別する複数の第２識別子を格納する。コンピュータ読取可能媒体は、また、前記識別されたトレーサーでタグ付けされた前記抗井を識別する動作を実行するために前記一又は複数のプロセッサによって実行可能なコンピュータ命令を格納する。コンピュータシステムは前記複数の第２識別子の中から、前記トレーサー検知システムによって識別された前記トレーサーを識別する第２識別子を識別し、前記複数の第１識別子の中から、前記識別されたトレーサーでタグ付けされた前記地下ゾーンに対応する前記抗井を識別する第１識別子を識別することができる。
【００１０】
本明細書の別の態様は、抗井ブレイクスルーを識別する方法を特徴とする。流体サンプルはガス油分離プラント（ＧＯＳＰ）の水ラインからトレーサー検知システムに流える。前記ＧＯＳＰは、複数の抗井から混合抗井炭化水素流体を受け取るように構成される。前記複数の抗井の各々は、炭化水素貯留層の対応する地下ゾーンに連通している。前記対応する地下ゾーンは、それぞれのトレーサーでタグ付けされ、前記それぞれのトレーサーは、抗井ブレイクスルーに応答して前記抗井に流れ込むことができる。前記ＧＯＳＰはまた、水を含む炭化水素成分に前記混合抗井炭化水素流体を分離し、前記水ラインを介して前記水を流すように構成される。前記トレーサー検知システムによって、前記トレーサーの存在に関して前記流体サンプルを分析される。前記トレーサー検知システムによって、前記トレーサーでタグ付けされた前記地下ゾーンから一の地下ジーンを識別される。前記トレーサー検知システムによって、前記識別された地下ゾーンに対応する抗井を識別する。
【００１１】
ポンプを用いて、前記流体サンプルを前記トレーサー検知システムへ送り込むことができる。前記流体サンプルを前記トレーサー検知システムに重力により流すこともできる。場合によっては、前記識別された抗井の識別を受け取り、前記炭化水素貯留層内の前記識別された抗井において、前記識別された抗井内への前記識別されたトレーサーの流れを監視する。
【００１２】
いくつかの実施では、前記流体サンプル内の前記トレーサーを特定することは、前記流体サンプルに対してレーザ駆動の蛍光分光法又はガスクロマトグラフィー質量分析法の少なくとも一方を実行することによって前記トレーサーを検知することである。前記流体サンプルにおける前記トレーサーの濃度は、１兆分の１（ｐｐｔ）又は１０００兆分の１（ｐｐｑ）の範囲にある。各トレーサーは、光学的にタグ付けされたナノ粒子トレーサー又は質量タグ付けされたナノ粒子トレーサーの少なくとも一方を含むことができる。
【００１３】
前記特定されたトレーサーでタグ付けされた前記複数の抗井のうちの前記抗井を識別するために、前記トレーサーを識別するコンピュータに格納された第１の識別子と、前記識別されたコンピュータに格納された第１の識別子にマッピングされたコンピュータに格納された第２の識別子とを識別することができる。前記コンピュータに格納された第２の識別子は前記抗井を識別する。場合によっては、コンピュータ読取可能媒体に、前記トレーサーを識別する第１識別子、及び前記抗井を識別する第２識別子が格納される。前記複数の第１識別子は、前記コンピュータに格納された第１の識別子を含み、前記複数の第２識別子は、前記コンピュータに格納された第２の識別子を含む。前記コンピュータ読取可能媒体に動作可能に結合された一又は複数のプロセッサによって、前記トレーサーを識別する第１識別子及び前記第１識別子にマッピングされた第２識別子のための前記複数の第１識別子及び前記複数の第２識別子を検索するように構成される。
【００１４】
流体バルブを作動させて、前記水ラインと前記トレーサー検知システムを流体的に接続し、前記流体サンプルを前記水ラインからトレーサ検知システムに流体的に接続された前記流体サンプリングラインに移動できる。前記トレーサー検知システムへ前記流体サンプルを流す前に、前記流体サンプルから混入物質をフィルタリングすることができる。前記混入物質は、トレーサーを含まなくてよい。
【００１５】
さらに他の態様は、炭化水素貯留層を監視する方法を特徴とする。ガス油分離プラント（ＧＯＳＰ）の水ラインによって運ばれた流体を定期的にサンプリングされる。前記ＧＯＳＰは、炭化水素貯留層の複数の領域に形成された複数の抗井から混合抗井炭化水素流体を受け取り、水を含む炭化水素成分に前記混合抗井炭化水素流体を分離し、前記水ラインから前記水を流すように構成される。前複数の領域は、複数のトレーサーでタグ付けされ、各トレーサーは、それぞれの抗井を囲む前記炭化水素貯留層のそれぞれの領域に注入される。各トレーサーは、抗井ブレイクスルーに応答して、前記それぞれの領域から前記それぞれの抗井内へ流れることができる。前記複数のトレーサーのうちの１又は複数のトレーサーについて、サンプリングされた各流体を解析でき、サンプリングされた各流体を解析した結果に基づき、流体ブレイクスルーのために前記複数の抗井を監視することができる。
【００１６】
前記流体は定期的に、例えば一日に一回又は二回サンプリングできる。流体サンプルを解析することに応答して、前記流体サンプル中のトレーサーの存在を特定でき、前記トレーサーが注入された抗井を囲む前記炭化水素貯留層の領域を識別できる。そして、前記流体ブレイクスルーのために前記抗井を監視できる。
【００１７】
本明細書の実施は、ガス油分離プラント（ＧＯＳＰ）からの生産水試験ラインに安全に設置できる自動化されたインライントレーサー検知システムを介して、同時に複数の抗井からのトレーサーブレイクスルーを特定する方法を提供する。この方法により、高圧、酸性ガス、分離手順、戻りライン、及び電源供給の問題が最小限に抑えられ、或いは解消できる。
【００１８】
自動化されたインライン検知システムは、異なるそれぞれのトレーサーに関連付けられた混合抗井の１つがトレーサーブレイクスルーを示すときに、フラグ又はアラートをトリガするように構成できる。ＧＯＳＰにおいて、検知システムによって一又は複数のトレーサーが一旦検知されると、混合ラインに供給する個々の抗井を、それぞれ、該検知システムによって測定されたトレーサーに関連付けることができ、データは、自動化された処理の全体の一部としてリアルタイムで基地局に送出できる。ブレイクスルーを示す個々の抗井が一旦識別されると、この識別された坑井は、トレーサー濃度及び進捗を特定するために、トレーサーを監視する従来の方法及びシステム（例えば、ポータブル又はハンドヘルドのもの）を用いて、ウェルヘッド（ｗｅｌｌ  ｈｅａｄ、坑口）において直接テストできる。
【００１９】
自動化されたインライン検知システムは、セパレータの下流側の生成された水流試験ライン（主流から油及びガスを分離した後のもの）に設置でき、これにより、リスク及び危険を最小化した又は全く伴わない高圧サンプリング状況を提供する。自動化されたインライン検知システムは、少量の生成水を検知システムに放出するように構成された作動バルブと、任意の混入物質又はエマルジョンを除去するフィルタ及びインライン膜セパレータと、蛍光質量分析計又はガスクロマトグラフィー質量分析計（ＧＣＭＳ）に基づくものであって、異なるトレーサーを１兆分の１（ｐｐｔ：ｐａｒｔ  ｐｅｒ  ｔｒｉｌｌｉｏｎ）又は１０００兆分の１（ｐｐｑ：ｐａｒｔ  ｐｅｒ  ｑｕａｄｒｉｌｌｉｏｎ）のレベルで検知できるトレーサー検知システムと、を含むことができる。自動化されたインライン検知システムは、任意の陽性トレーサー検知にフラグを立てると共に、該トレーサーを適切な抗井と無線データ転送デバイス、例えば送信機とに相互相関させるデータ取得モジュールを含み、無線データ転送デバイスは、このデータをリアルタイムで基地制御局（ｂａｓｅ  ｃｏｎｔｒｏｌ  ｓｔａｔｉｏｎ）に送信する。検知システムからトレーサーが検知されない場合、検知システムは、フローストリームの監視を継続する。一又は複数の混合抗井からのブレイクスルーを知らせる陽性のトレーサーフラグがある場合、データは、ブレイクスルーを示す該坑井又は複数の坑井と基地制御局にリアルタイムで転送されたデータとを識別するために、自動的にトレーサー／抗井のコンピュータデータベースに関連付けられる。転送されたデータが検討されると共に特定の抗井からのトレーサーブレイクスルーが識別されると、従来のウェルヘッドトレーサーモニタリングを展開できる。
【００２０】
この技術により、トレーサーブレイクスルーを個別に且つ手動で検知するために、トレーサーが注入された抗井毎の監視を毎日又は毎週行うという時間のかかる手順を回避できる。むしろ、この技術により、トレーサー検知用のウェルヘッド毎に高価で高いリスクを伴う変更を加えること無しに、複数の混合抗井からのトレーサーブレイクスルーを自動的に特定することを可能にする。これにより、かなりの量の人手と時間を節約でき、また、貯留層又はフィールドスケールにトレーサーを効率的且つ経済的な方法で展開できるという潜在的な効果を含み得る。加えて、トレーサー調査をフィールド規模で実施することを可能にすることは、貯留層内の流体運動に関する重要な情報を提供でき、この結果、注水スキームの最適化及び有益な充填掘削を可能とし、貯留層の管理方針が改善され、最終的には石油回収が増加する。
【００２１】
本願に記載された主題における一又は複数の実施の詳細は、添付図面及び引き続く記述に説明される。本主題の他の特徴、態様及び利点は、記述、図面及び特許請求の範囲から明らかになる。
【図面の簡単な説明】
【００２２】
【図１Ａ】図１Ａは、炭化水素生産坑井システムの一例を示す概略図である。
【００２３】
【図１Ｂ】図１Ｂは、トレーサー検知システムの例を示す概略図である。
【００２４】
【図２】図２は、炭化水素生産抗井システムと基地局との間の伝送の例を示す概略図である。
【００２５】
【図３Ａ】図３Ａは、ＧＯＳＰにおいて混合された複数の抗井からのトレーサーブレイクスルーを特定するプロセスの例を示すフローチャートである。
【００２６】
【図３Ｂ】図３Ｂは、識別されたトレーサーでタグ付けされた抗井を特定するプロセスの例を示すフローチャートである。
【００２７】
【図４】図４は、コンピュータシステムの一例を示すブロック図である。
【発明を実施するための形態】
【００２８】
図１Ａは、本明細書により提供された炭化水素生産抗井システム１００の一例を示す概略図である。抗井システム１００は、抗井サイトに配置できる。抗井システム１００は、同じ抗井サイト内に位置するが互いに離れている、つまり炭化水素が取り出されている同じ炭化水素貯留層内に形成された複数の坑井１０２ａ、１０２ｂ、１０２ｃを含む。
【００２９】
各坑井１０２ａ、１０２ｂ又は１０２ｃは、地表（又は地球の表面）１０１におけるそれぞれのウェルヘッド１０４ａ、１０４ｂ又は１０４ｃから、炭化水素貯留層１０３内における関心のあるそれぞれの地下領域１０６ａ、１０６ｂ又は１０６ｃを通って延在する。例えば、坑井１０２ａは、地下表面１０１のウェルヘッド１０４ａから炭化水素貯留層１０３の地下ゾーン１０６ａを通って延在する。坑井１０２ａ、１０２ｂ又は１０２ｃは、例えば、任意の適切なタイプの坑井、例えば坑井１０２ａ又は１０２ｃのような単一の裸孔（ｗｅｌｌｂｏｒｅ）を含む坑井であり、又は坑井１０２ｂのような複数の裸孔を含む坑井であり得る。坑井１０２ａ、１０２ｂ又は１０２ｃは、それぞれ、地下ゾーン１０６ａ、１０６ｂ又は１０６ｃから、炭化水素成分、例えばガス、油、水又は任意の適切な組み合わせを生成するように構成される。地下ゾーン１０６ａ、１０６ｂ又は１０６ｃは、それぞれ、坑井１０２ａ、１０２ｂ又は１０２ｃを囲む。各坑井１０２ａ、１０２ｂ又は１０２ｃは、対応する地下ゾーン１０６ａ、１０６ｂ又は１０６ｃに、例えば流体的に連通する。
【００３０】
個々のトレーサー１０８ａ、１０８ｂ、１０８ｃは、それぞれの地下ゾーン１０６ａ、１０６ｂ、１０６ｃに注入される。坑井１０２ａ、１０２ｂ又は１０２ｃの坑井ブレイクスルーに応答して、トレーサー１０８ａ、１０８ｂ又は１０８ｃは、それぞれの坑井１０２ａ、１０２ｂ又は１０２ｃにそれぞれ流れ込むことができる。トレーサー１０８ａ、１０８ｂ、１０８ｃは互いに異なっていてもよく、その結果、各坑井内の個々のトレーサーは、坑井の坑井ブレイクスルーそれぞれを一意に識別するために使用できる。すなわち、各坑井１０２ａ、１０２ｂ又は１０２ｃは、それぞれのトレーサー１０８ａ、１０８ｂ又は１０８ｃでタグ付けされた地下ゾーン１０６ａ、１０６ｂ、１０６ｃに対応する。各トレーサー１０８ａ、１０８ｂ又は１０８ｃは、それぞれの抗井１０２ａ、１０２ｂ又は１０２ｃに関連付けられる（又は対応する）。
【００３１】
場合によっては、トレーサーは、光学的にタグ付けされたナノ粒子トレーサーであり、また光学的方法、例えばレーザ駆動の蛍光分光法又はラマン分光法によって検知できる。異なるサイズ（長さ、径）又は形状、あるいはその両方を持つナノ粒子トレーサーは、異なる蛍光スペクトル（例えば、発光波長）、ラマンスペクトル、又は共鳴スペクトルを持っていてもよい。場合によっては、トレーサーは、質量タグ付きナノ粒子トレーサーであり、また質量分析計、例えばガス（又は液体）クロマトグラフィー質量分析計（ＧＣＭＳ又はＬＣＭＳ）によって検知できる。トレーサーは、他の適切なナノ粒子トレーサーでもあり得る。例えば、この検知スキームは、分子系化学トレーサー、ＤＮＡ鎖タグ、及びバイオ系トレーサーに同等に適用され得る。
【００３２】
複数の坑井１０２ａ、１０２ｂ、１０２ｃから生成された炭化水素流体は、炭化水素液体を組み合わせて混合抗井の炭化水素流体になるように構成されたコンバイナ（混合器）１１０にそれぞれのライン１０９ａ、１０９ｂ、１０９ｃを介して入力できる。混合抗井の炭化水素流体は、さらに、コンバイナ１１０から共通ライン１１５を介してガス油分離プラント（ＧＯＳＰ）１２０のセパレータ（分離器）１２２に送られる。セパレータ１２２は、残留する油／水のセパレータ又は油／ガス／水のセパレータであり得る。図１Ａに示されるように、セパレータ１２２は、ガス、油、及び水を含む分離された炭化水素成分を得るために、分離ライン１２１、１２３、１２５に、コンバイナ１１０から受けた混合坑井炭化水素流体を分離するように構成される。
【００３３】
流体サンプリングライン１２７は、水ライン１２５を通して流れる水から流体サンプルを取得するためにＧＯＳＰ１２０の水ライン１２５に流体的に接続するように構成される。いくつかの実施では、流体バルブ１２４は、水ライン１２５及び流体サンプリングライン１２７に流体的に接続し、また流体サンプリングライン１２７は、流体サンプルを水ライン１２５から流体サンプリングライン１２７に移送するために作動させるように構成される。流体サンプルは、少量の生成水であり得る。例えば、流体サンプル（試料）の体積は、実質的に５０ミリリットル（ｍＬ）以下であり得る。流体弁１２４は、例えば１日当たり１回若しくは２回、又は要求に応じて定期的に作動できる。
【００３４】
ＧＯＳＰ１２０は、流体サンプル中の１又は複数のトレーサーを識別するように構成されたトレーサー検知システム１３０を含む。トレーサー検知システム１３０は、流体サンプリングライン１２７に流体的に結合され、また流体サンプリングライン１２７から流体サンプルを受け、複数の坑井１０２ａ、１０２ｂ、１０２ｃに対応する地下ゾーン１０６ａ、１０６ｂ、１０６ｃのタグ付けに用いられる複数のトレーサー１０８ａ、１０８ｂ、１０８ｃの存在を特定するために流体サンプルを分析し、流体サンプルを分析することに応答して、流体サンプル中のトレーサーを識別し、そして、流体サンプル中においてトレーサーを識別することに応答して、識別されたトレーサーでタグ付けされた地下ゾーンに対応する坑井を識別するように構成される。トレーサー検知システム１３０は、ｐｐｔ又はｐｐｑの範囲でトレーサーを検知するように構成される。トレーサー検知システム１３０は、ＧＯＳＰ１２０内のセパレータ１２２の下流に設置された自動化されたインライン測定システムであり得る。後に図１Ｂにおいて更に説明するように、トレーサーが蛍光物質を持つナノ粒子である場合、トレーサー検知システム１３０は、白色ＬＥＤ光によって励起された流体サンプルの光学スペクトル（又は発光スペクトル）を検知できる。それは、光スペクトルに基づき複数のトレーサーの存在が特定でき、更に、光スペクトル内のそれぞれの共鳴波長（又は発光波長）に基づいて個々のトレーサーが識別できる。トレーサーが質量タグ付きのナノ粒子トレーサーである場合、トレーサー検知システム１３０は、流体サンプルの質量スペクトルを検知できる。複数のトレーサーの存在が質量スペクトルに基づき特定でき、更に個々のトレーサーが質量スペクトルにおけるそれぞれの信号目印（ｓｉｇｎａｔｕｒｅ、特徴的な）ピークに基づき特定できる。
【００３５】
いくつかの実施では、トレーサー検知システム１３０は、特定の坑井に対応する特定の地下ゾーンに対してタグ付けされた特定のトレーサーを検知するように構成される。例えば、該特定のトレーサーが、蛍光色素分子材料を持つナノ粒子を含む場合、トレーサー検知試験において、トレーサー検知システム１３０は、蛍光材料の吸収範囲内に波長を持つレーザ光源を使用することができ、流体サンプルを照射すると共に流体サンプルの発光スペクトルを検知する。検知された発光スペクトルの発光波長が蛍光色素分子材料の発光波長と一致する場合、流体サンプルは特定のトレーサーを含むことが特定される。場合によっては、トレーサー検知システム１３０は、異なるトレーサーを識別するために、流体サンプルに対して異なるトレーサー検知試験を、例えば並列に又は直列に実行する。
【００３６】
いくつかの実施では、ＧＯＳＰ１２０は、流体サンプリングライン１２７とトレーサー検知システム１３０との間に配置されたフィルタ１２６を含む。フィルタ１２６は、流体サンプル中の混入物質（汚染物質）又はエマルジョンを除去するように構成される。該混入物質又はエマルジョンにはトレーサーは含まれない。フィルタ１２６は、インラインフィルタカートリッジとすることができ、また、１又は複数の水浄化材料を含むことができる。
【００３７】
いくつかの実施では、流体サンプル又はフィルタ１２６からのフィルタリングされた流体サンプルは、重力によりトレーサー検知システム１３０に供給される。いくつかの実施では、ＧＯＳＰ１２０は、流体サンプリングライン１２７からトレーサー検知システム１３０に流体サンプルを流すように構成されたポンプ１２８を含む。ポンプ１２８は、流体サンプリングライン１２７（又は流体バルブ１２４）とトレーサー検知システム１３０との間であって、フィルタ１２６の後（又は前）に配置できる。ポンプ１２８は、小型の毛細管ポンプであり得る。
【００３８】
図１Ｂは、トレーサー検知システム１３０の一例を示す概略図である。トレーサー検知システム１３０は、流体サンプリングライン１２７から、例えばフィルタ１２６又はポンプ１２８あるいはその両方を介して、流体サンプルを受けるように構成されたフローセル１３２を含む。フローセル１３２は、ホルダー上に配置された容器、例えばキュベット（ｃｕｖｅｔｔｅ）であることができる。トレーサー検知システム１３０は、流体サンプル内の任意のトレーサーを検知するように構成されたトレーサー検知器１３４を含む。トレーサー検知器１３４は、ｐｐｔ又はｐｐｑレベルでいくつかの異なるトレーサーを検知するように構成できる。その数は、１０、２０、５０、又は１００を超えることができる。
【００３９】
前述のように、いくつかの例では、トレーサーは、光学的にタグ付けされたナノ粒子トレーサー、例えば、蛍光物質を持つナノ粒子、量子ドット、又は金属ナノ粒子である。トレーサーは、光で励起されるとき光信号を発することができ、また光信号は蛍光信号又はラマン散乱信号であることができる。異なるトレーサーは、異なる共鳴波長又は目印ピークを持つことができる。トレーサー検知システム１３０は、フローセル１３２に光を注入するために、蛍光又はラマン照射用の光源、例えば発光ダイオード（ＬＥＤ）ランプを含むことができる。トレーサー検知器１３４は、放出された光信号の光スペクトルを測定するように構成された分光計であることができる。光学スペクトルにおける共鳴波長又は目印ピークに基づいて、１又は複数のトレーサータイプを識別できる。例えば、トレーサー１０８ａ、１０８ｂ及び１０８ｃは、それぞれ、４５０ナノメートル（ｎｍ）、５３０ｎｍ、６３０ｎｍの共鳴波長を持つ異なる蛍光色素分子材料を持つナノ粒子であり得る。白色ＬＥＤライトが、液体サンプルを照らすために使用できる。トレーサー検知器１３４によって測定された光学スペクトル（又は発光スペクトル）が、５３０ｎｍの共鳴波長及び６３０ｎｍの共鳴波長を含む場合、流体サンプルは、トレーサー１０８ｂ及びトレーサー１０８ｃを含むことが特定される。
【００４０】
いくつかの例では、トレーサーは質量タグ付きナノ粒子トレーサーである。トレーサー検知器１３４は、質量スペクトルに基づき質量タグ付きナノ粒子トレーサーを一意的に検知できる質量分析計、例えばガス（又は液体）クロマトグラフィー質量分析計（ＧＣＭＳ又はＬＣＭＳ）であることができる。例えば、流体サンプルが質量分析計によって試験される場合、質量スペクトルは、トレーサー１０８ａ及び１０８ｂの目印ピークを含む。この目印ピークに基づいて、トレーサーの存在が特定でき、更に、流体サンプルがトレーサー１０８ａ及びトレーサー１０８ｂを含むことが特定できる。
【００４１】
トレーサー検知器１３４から出力されたデータ、例えば蛍光又はラマンスペクトル、流体サンプルの質量スペクトルが、接続１３５を介してコンピュータシステム１４０に送信され得る。接続１３５は、有線回線又は無線接続であり得る。トレーサー検知器１３４は、人間の介入無しにトレーサーブレイクスルーを検知するために、流体サンプルを連続的に監視できる。データは、コンピュータシステム１４０に連続的に送信できる。
【００４２】
コンピュータシステム１４０は、複数の抗井１０２ａ、１０２ｂ、１０２ｃに対応する地下ゾーン１０６ａ、１０６ｂ、１０６ｃのタグ付けに用いた複数のトレーサー１０８ａ、１０８ｂ、１０８ｃの存在を特定するためにデータを分析するように構成される。前述のように、この特定は、蛍光スペクトル（又は質量スペクトル）における共鳴波長（又は目印ピーク）に基づくことができる。共鳴波長又は目印ピークに基づいて、コンピュータシステム１４０は、流体サンプル中の１又は複数のトレーサーを更に識別できる。識別されたトレーサーがある場合、識別は、抗井の抗井ブレイクスルー（又はトレーサーブレイクスルーと呼ばれる）に応答してトレーサーが抗井に流れ込むことを示している。
【００４３】
いくつかの実施では、コンピュータシステム１４０は、１又は複数のプロセッサ１４２及びメモリ（例えば、コンピュータ読取可能媒体）１４４を含む。メモリ１４４は、対応する複数の抗井を識別する複数の第１識別子と、該複数の抗井に対応する地下ゾーンのタグ付けに用いる複数のトレーサーを識別する複数の第２識別子とを格納する。つまり、抗井を識別する各第１識別子は、該抗井に対応する地下ゾーンのタグ付けに用いるトレーサーを識別する各第２識別子に関連付けられる（又はマッピングされる）。メモリは、第１識別子と第２識別子の関連付け（又はマッピング）を含むデータベースを格納する。
【００４４】
メモリ１４４は、また、識別されたトレーサーでタグ付けされた地下ゾーンに対応する抗井を識別する動作を実行するために、１又は複数のプロセッサ１４２によって実行可能なコンピュータ命令を格納できる。コンピュータシステム１４０は、複数の第２識別子の中から、識別されたトレーサーを識別する一の第２識別子を識別すると共に、次いで、識別されたトレーサーでタグ付けされた地下ゾーンに対応する抗井を識別する一の第１識別子を、該第１識別子と該第２識別子との間の関連付けに基づき、複数の第１識別子の中から識別するように構成できる。換言すると、コンピュータシステム１４０は、トレーサーを識別するコンピュータに格納された第２の識別子を識別でき、そして、コンピュータに格納された識別された第２の識別子に関連付けられた（又はマッピングされた）、コンピュータに格納された第１の識別子を識別できる。コンピュータに格納された識別子が抗井を識別する。
【００４５】
コンピュータシステム１４０は、任意の陽性のトレーサー検知にフラグを立て、関連する抗井にトレーサーを相互相関させることができる。コンピュータシステム１４０は、混合された抗井１０２ａ、１０２ｂ、１０２ｃのうちの１又は複数からのブレイクスルーを伝える陽性のトレーサーフラグがあるか否かを特定できる。トレーサーが検知されない場合、トレーサー検知システム１３０は、いかなるブレイクスルーに向けてサンプリングしまた監視することを続ける。トレーサーブレイクスルーが検知される場合、対応する抗井は、メモリ１４４内の格納されたコンピュータデータベースを参照することによって識別される。
【００４６】
いくつかの実施では、コンピュータシステム１４０は、図２でさらに詳細に説明するように、識別された抗井の識別を制御局（コントロールステーション）に、例えば無線で伝送するように構成された送信機１４６を含む。送信機１４６はまた、トレーサー検知器１３４の測定データ、例えば、光学スペクトル又は質量スペクトルを、制御局に送信できる。制御局では、送信されたデータが検討できる共に特定の抗井からのトレーサーブレイクスルーが識別でき、また従来のウェルヘッドトレーサー監視システムが標準的なフィールド動作のように始まる。制御局は、また、トレーサーを抗井に関連付けるデータベースを保存することができる。いくつかの例では、制御局は、測定データに基づきトレーサーを識別でき、次いで、識別されたトレーサー及びデータベースに基づき抗井を識別できる。いくつかの例では、制御局は、識別されたトレーサーによって識別された識別された抗井の識別を受信でき、また、識別された抗井内への識別されたトレーサーの流れを炭化水素貯留層内の識別された抗井のところで監視する要求又はコマンドを送出できる。
【００４７】
いくつかの例では、コンピュータシステム１４０は、図１Ｂに示されるように、トレーサー検知システム１３０に含まれる。いくつかの他の例では、コンピュータシステム１４０は、トレーサー検知システム１３０に外的に結合される。コンピュータシステム１４０は、ＧＯＳＰ１２０内に、又はＧＯＳＰ１２０の外部にあることができる。いくつかの例では、送信機１４６は、図１Ｂに示されるようにコンピュータシステム１４０内に含まれる、いくつかの他の例では、送信機１４６は、コンピュータシステム１４０に外的に結合されているが、トレーサー検知システム１３０又はＧＯＳＰ１２０に含まれる。
【００４８】
図２は、炭化水素生成抗井システム２０２ａ、２０２ｂと基地局２０６との間の伝送２００の例を示す概略図である。抗井システム２０２ａ、２０２ｂは、互いに分離した異なる抗井サイトにあることができる。抗井システム２０２ａ又は２０２ｂは、図１Ａの抗井システム１００であり得る。ここでは２つの抗井システムが描かれているが、基地局２０６は多くの抗井システムと通信できることが理解される。このように、基地局２０６は、多数の抗井サイトにおいて多数の抗井システムを遠隔で監視（及び制御）できる。
【００４９】
各抗井システム２０２ａ又は２０２ｂは、複数の抗井２３０ａ又は２３０ｂからの混合抗井炭化水素流体を受けるように構成されたＧＯＳＰシステム２２０ａ又は２２０ｂをそれぞれ含むことができる。ＧＯＳＰシステム２２０ａ又は２２０ｂは、図１ＡのＧＯＳＰ１２０であることができる。ＧＯＳＰシステム２２０ａ又は２２０ｂは、複数の抗井に対応する複数の地下ゾーンにタグ付けされた１又は複数のトレーサーを分析すると共に、サンプリングされた各流体を分析した結果に基づき流体ブレイクスルーのために複数の抗井を監視するために、ＧＯＳＰ２２０ａ又は２２０ｂの水ラインによって運ばれた流体を定期的にサンプリングすることができる。ＧＯＳＰシステム２２０ａ又は２２０ｂは、各々送信機、例えば図１Ｂの送信機１４６を含むことができ、またデータ、例えば測定データ又は識別された抗井あるいはその両方を、例えば無線で、基地局２０６に送信する。
【００５０】
いくつかの実施では、ＧＯＳＰシステム２２０ａ又は２２０ｂは、ネットワーク２０４を介して基地局２０６に無線でデータを送信する。ネットワーク２０４は、ローカルエリアネットワーク（ＬＡＮ）、ワイドエリアネットワーク（ＷＡＮ）、インターネット、セルラーネットワーク、衛星ネットワーク、メッシュネットワーク、１以上のワイヤレスアクセスポイント、又は任意の数のモバイルクライアント、固定クライアント、及びサーバを接続する上記の組み合わせといった大規模なコンピュータネットワークを含むことができる。
【００５１】
いくつかの実施では、データは、各ＧＯＳＰシステム２２０ａ又は２２０ｂから、タワー２０８上に搭載できるアクセスポイント２１０を介して送信される。タワー２０８は、既存の通信タワーを含むことができる。いくつかの例では、ローカルネットワーク、例えば低電力データネットワーク、セルラーネットワーク、衛星通信ネットワーク、又はそれらの任意の組み合わせに基づいて、アクセスポイント２１０とＧＯＳＰシステム２２０ａ及び２２０ｂとの間でデータを送信できる。いくつかの例では、アクセスポイント２１０は、アクセスポイント２１０が抗井システム２０２ａ又は２０２ｂといった多数の抗井システムと通信することを可能にする放射状カバレッジを提供する。いくつかの例では、アクセスポイント２１０は、セルラー、衛星、メッシュ、２地点間、１対多地点無線、地上波若しくは有線の通信、又は上記の任意の組み合わせを用いて、ネットワーク２０４とさらに通信する。
【００５２】
図３Ａは、ＧＯＳＰで混合された複数の抗井からのトレーサーブレイクスルーを特定する例示的なプロセス３００を示すフローチャートである。ＧＯＳＰは、図１ＡのＧＯＳＰ１２０であることができる。ＧＯＳＰは、炭化水素貯留層の複数の領域に形成された複数の抗井から混合抗井炭化水素流体を受け取り、抗井流体を、例えば図１Ａのセパレータ１２２によって、水を含む炭化水素成分に分離するように構成される。ＧＯＳＰは、水ラインを介して水を流すと共に生成された水を検知のためにサンプリングするように構成される。
【００５３】
トレーサーブレイクスルーは、ＧＯＳＰにおいて複数の混合抗井から検知される（３０２）。前述のように、各抗井は、該抗井で囲む炭化水素貯留層の領域に対応する。それぞれのトレーサーは、該領域に注入され、また抗井ブレイクスルーに応答して抗井に流れ込む。つまり、各抗井は、該抗井に対応する領域にタグ付けされたトレーサーに関連付けられる。
【００５４】
検知３０２は、ＧＯＳＰにおいて自動的に実行できる。バルブ、例えば、図１Ａのバルブ１２４は、例えば１日当たり１回又は２回など定期的に、水ラインから流体サンプル（３１０）を受け取るように作動される。サンプリングされた流体は、実質的に５０ｍＬ以下の容量を有することができる。流体サンプルは、例えば、図１Ａのフィルタ１２６によってフィルタリングされる（３１２）。フィルタリングされたサンプルは、重力により、又は例えば図１Ｂに示すポンプ１２８によりＧＯＳＰのトレーサー検知システム、例えば図１Ａ−図１Ｂのトレーサー検知システム１３０に送ることができる。
【００５５】
トレーサー測定が、トレーサー検知システムによって流体サンプル（３１４）に対して実施される。トレーサー測定は、流体サンプルに対しレーザ駆動の蛍光若しくはラマン分光法、又はＧＣＭＳといった質量分析計に基づいて行うことができる。各トレーサーは、光学的タグ付きナノ粒子トレーサー又は質量タグ付きナノ粒子トレーサーの少なくとも一方であることができる。液体サンプル中のトレーサー濃度は、ｐｐｔ又はｐｐｑの範囲内にあることができる。
【００５６】
測定データは、例えばトレーサー検知システムからコンピュータシステム、例えば図１Ｂのコンピュータシステム１４０に送信される（３１６）。コンピュータシステムは、トレーサーブレイクスルーがあるかどうか、例えば抗井の抗井ブレイクスルーに応答して抗井に流れ込むトレーサーがあるかどうかを特定する（３１８）。流体サンプル内に検知されたトレーサーがないとコンピュータシステムが特定した場合、プロセス３００は、ＧＯＳＰの水ラインから流体を連続的にサンプリングするためにステップ３１０に戻る。流体サンプル内に検知された１又は複数のトレーサーがあるとコンピュータシステムが特定した場合、コンピュータシステムは、検知されたトレーサーを対応する抗井に照合する（３２０）。
【００５７】
図３Ｂは、識別されたトレーサーに関連付けられた抗井を特定する例示的なプロセス３５０を示すフローチャートである。プロセス３５０は、コンピュータシステムによって実行され、またステップ３２０として実施できる。
【００５８】
トレーサーは、測定データに基づき識別される（３５２）。測定データは、トレーサー検知システムから取得できる。識別されたトレーサーを識別する第１識別子は、データベースにおいて特定される（３５４）。データベースは、コンピュータシステム内に保存でき、該トレーサーでタグ付けされたそれぞれの領域に対応するそれぞれの抗井に、異なるトレーサーを関連付け又はマッピングすることができる。データベース内の第１識別子に関連付けられた第２識別子は、例えばデータベース内に格納された関連付けに基づき特定される（３５６）。次に、特定された第２識別子によって識別された抗井が特定される（３５８）。
【００５９】
図３Ａに戻ると、流体サンプル内の識別されたトレーサーに関連付けられた１（又は複数）の抗井が識別された後に、識別された抗井又は測定データあるいはその両方を含むデータが、例えば無線で、基地局に送信できる。場合によっては、データは、自動化されたプロセス３０２全体の一部としてリアルタイムに基地局に送信できる。つまり、トレーサー検知システムがデータを取得するとすぐに、トレーサー検知システムは基地局にデータを送信する。基地局は、識別された抗井又は測定データあるいはその両方を分析することができ、また例えば標準的なフィールド動作により、ウェルヘッドトレーサー監視システムを開始できる。ブレイクスルーを示す抗井のウェルヘッドサンプリングが、例えば手動で開始される（３０４）。いくつかの実施では、ステップ３１８及び３２０は、トレーサーを抗井に関連付ける格納されたデータベース及び測定データに基づき、基地局によって実行できる。
【００６０】
このプロセス３００は、トレーサーブレイクスルーの兆候のために、毎日注入された全抗井に対して継続的な手動テストを行うことの必要性を排除しており、またトレーサー検知のためにウェルヘッド毎に対する高価で高リスクの変更を必要としない。このプロセス３００では、いくつかのトレーサーは連続的な定期サンプリングシステムによって安全に監視でき（例えば、サンプルが定期的に採取される進行中のサンプリングプログラムが走っている）、またＧＯＳＰにおいてトレーサーブレークスルーが最初に検知されるまで、ウェルヘッドにおける手動のテストを遅らせることができる。このプロセス３００は、フィールド全体の監視システムを可能にし得る。
【００６１】
図４は、一実施に係る、ＧＯＳＰにおいて混合された複数の抗井からのトレーサーブレイクスルーを特定するために使用される例示的なコンピュータ４０２を示すブロック図４００である。コンピュータ４０２は、図１Ｂのコンピュータシステム１４０であることができる。図示されたコンピュータ４０２は、サーバ、デスクトップコンピュータ、ラップトップ若しくはノートブックコンピュータ、無線データポート、スマートフォン、パーソナルデータアシスタント（ＰＤＡ）、タブレットコンピューティングデバイス、又はこれらのデバイス内の１又は複数のプロセッサといったコンピューティングデバイスを包含するように意図されており、またコンピューティングデバイスの物理的及び仮想的インスタンスの両方を含む。加えて、コンピュータ４０２は、キーパッド、キーボード、タッチスクリーン、又はユーザ情報を受け入れることができる他のデバイスといった入力デバイスと、コンピュータ４０２の動作に関連付けられた情報を伝える出力デバイスとを含むコンピュータを含むことができ、またデジタルデータ、視覚及び音声の情報、又はグラフィカルユーザインターフェイス（ＧＵＩ）を含む。
【００６２】
コンピュータ４０２は、クライアント、ネットワークコンポーネント、サーバ、データベース又は他の持続的なもの、ＧＯＳＰにおいて混合された複数の抗井からのトレーサーブレイクスルーを特定するためのコンピュータシステムのコンポーネントとして機能することができる。図示されたコンピュータ４０２は、ネットワーク４３０に通信可能に接続される。ネットワーク４３０は、図２のネットワーク２０４であり得る。いくつかの実施では、コンピュータ４０２の１又は複数のコンポーネントは、クラウドコンピューティング系、ローカル、グローバル、又は他の環境内において動作するように構成されていても良い。
【００６３】
高レベルでは、コンピュータ４０２は、ＧＯＳＰにおいて混合された複数の抗井からのトレーサーブレイクスルーの特定に関連するデータ及び情報を受信し、送信し、処理し、格納し、又は管理するように動作可能な電子コンピューティングデバイスである。いくつかの実施によれば、コンピュータ４０２は、また、アプリケーションサーバ、電子メールサーバ、ウェブサーバ、キャッシングサーバ、ストリーミングデータサーバ、ビジネスインテリジェンス（ＢＩ）サーバ、又は他のサーバを含むか、或いは通信可能に結合されてもよい。
【００６４】
コンピュータ４０２は、（例えば、別のコンピュータ４０２上において動作する）クライアントアプリケーションからネットワーク４３０を通してリクエストを受信することができ、また適切なソフトウェアアプリケーションで当該リクエストを処理することによって受信リクエストに応答することができる。加えて、リクエストは、内部ユーザ（例えば、コマンドコンソールから又は他の適切なアクセス方法によって）、外部又はサードパーティ、他の自動化されたアプリケーション、更には任意の他の適切なエンティティ、個人、 システム、又はコンピュータから、コンピュータ４０２へ送られてもよい。
【００６５】
コンピュータ４０２のコンポーネントの各々は、システムバス４０３を用いて通信することができる。いくつかの実施では、コンピュータ４０２のハードウェア及びソフトウェアの両方のコンポーネントのいずれか又は全ては、アプリケーションプログラミングインターフェイス（ＡＰＩ）４１２又はサービスレイヤ４１３を用い、システムバス４０３を通してインターフェイス４０４と又は互いに相互作用することができる。ＡＰＩ４１２は、ルーチン、データ構造、及びオブジェクトクラスの仕様を含むことができる。ＡＰＩ４１２は、コンピュータ言語に非依存又は依存のいずれかであってもよく、また完備したインターフェイス、単一の関数、又は一組のＡＰＩでさえも示すことができる。サービスレイヤ４１３は、ソフトウェアサービスを、（図示されているかどうかに関わらない）コンピュータ４０２に通信可能に結合された他のコンポーネント及びコンピュータ４０２に提供する。コンピュータ４０２の機能は、このサービスレイヤを用いて全てのサービスコンシューマにアクセス可能であってもよい。ソフトウェアサービス、例えばサービスレイヤ４１３によって提供されるサービスは、規定のインターフェイスを介して再利用可能な規定のビジネス機能を提供する。例えば、インターフェイスは、拡張マークアップ言語（ＸＭＬ）形式又は他の適切な形式でデータを提供する任意の適切な言語で書かれたソフトウェアであり得る。コンピュータ４０２の統合コンポーネントとして示される一方で、代替の実施は、コンピュータ４０２の他のコンポーネント、及び（図示されているかどうかに関わらない）コンピュータ４０２に通信可能に結合された他のコンポーネントに関連するスタンドアロンコンポーネントとして、ＡＰＩ４０２及びサービスレイヤ４１３を例示してもよい。さらには、ＡＰＩ４１２及びサービスレイヤ４１３のいずれか又は全ての部分が、本明細書の範囲から逸脱することなく、別のソフトウェアモジュール、エンタープライズアプリケーション、又はハードウェアモジュールのサブモジュール又は子モジュールとして実施されてもよい。
【００６６】
コンピュータ４０２は、インターフェイス４０４を含む。図４では単一のインターフェイス４０４として示されているが、２つ以上のインターフェイス４０４が、コンピュータ４０２の特定のニーズ、要望、又は特定の実施、及びＧＯＳＰで混合された複数の抗井からのトレーサーブレイクスルーを特定する機能に従って使用されるようにしてもよい。インターフェイス４０４は、ネットワーク４３０に接続された分散環境における他のシステムと通信するためにコンピュータ４０２によって使用される。一般に、インターフェイス４０４は、適切な組み合わせのソフトウェア及びハードウェアでエンコードされると共にネットワーク４３０と通信するように動作可能であるロジックを含む。より具体的には、インターフェイス４０４は、ネットワーク４３０又はインターフェイスのハードウエアが図示のコンピュータ４０２内及びその外側で信号をやり取りするように動作可能であるよう、通信に関連付けられた１又は複数の通信プロトコルをサポートするソフトウェアを含んでもよい。
【００６７】
コンピュータ４０２は、プロセッサ４０５を含む。プロセッサ４０５は、図１Ｂのプロセッサ１４２であり得る。図４では単一のプロセッサ４０５として示されているが、２つ以上のプロセッサが、コンピュータ４０２の特定のニーズ、要望、又は特定の実施に従って使用できる。一般には、プロセッサ４０５は、命令を実行し、データを操作してコンピュータ４０２の動作を実行する。具体的には、プロセッサ４０５は、ＧＯＳＰにおいて混合された複数の抗井からのトレーサーブレイクスルーを特定するための機能を実行する。
【００６８】
また、コンピュータ４０２は、ネットワーク４３０に接続できる他のコンポーネント及びコンピュータ４０２のためのデータを保持するメモリ４０６を含む。メモリ４０６は、図１Ｂのメモリ１４４であることができる。例えば、メモリ４０６は、この明細書に合致するデータを格納するデータベースであり得る。図４では単一のメモリ４０６として示されているが、２つ以上のメモリを、ＧＯＳＰで混合された複数の坑井からのトレーサブレークスルーを特定するためのコンピュータ４０２及び機能の特定のニーズ、要望、又は特定の実施に従って使用することができる。メモリ４０６がコンピュータ４０２の不可欠なコンポーネントとして示される一方で、代替の実施では、メモリ４０６はコンピュータ４０２の外部にあることができる。
【００６９】
アプリケーション４０７は、特に、ＧＯＳＰにおいて混合された複数の抗井からのトレーサーブレイクスルーを特定するために必要な機能に関連して、コンピュータ４０２の特定のニーズ、要望、又は特定の実施に従った機能を提供するアルゴリズムソフトウェアエンジンである。例えば、アプリケーション４０７は、いずれかの図面に関して説明された１又は複数のコンポーネント、モジュール、及びアプリケーションとして機能することができる。さらに、単一のアプリケーション４０７として例示されているが、アプリケーション４０７は、コンピュータ４０２上において複数のアプリケーション４０７として実施されていてもよい。加えて、コンピュータ４０２に不可欠なものとして示されるが、代替の実施では、アプリケーション４０７はコンピュータの外部にあってもよい。
【００７０】
コンピュータ４０２を含むコンピュータシステムの外部に又は関連付けられたいくつかのコンピュータ４０２があってもよく、コンピュータ４０２の各々は、ネットワーク４０２を通して通信する。さらに、「クライアント」、「ユーザ」、及び他の適切な用語が、この明細書の範囲から逸脱することなく、適宜に交換可能に使用される。さらには、この明細書は、多くのユーザが１台のコンピュータ４０２を使用してもよいこと又は一人のユーザが複数のコンピュータ４０２を使用してもよいことを想定している。
【００７１】
本明細書で述べる主題及び機能を果たす作動の実施は、本明細書に開示する構造及びその均等物を含み、デジタル電子回路において、明白に具体化されたコンピュータソフトウェア若しくはファームウェアにおいて、コンピュータハードウェアにおいて、又はそれらの１つ以上の組み合わせにおいて実施できる。本明細書で述べる主題の実施は、１つ以上のコンピュータプログラムとして、即ち、データ処理装置による実行のために、又はデータ処理装置の動作を制御するために、有形の非一時的コンピュータ格納媒体上でコード化されたコンピュータプログラム命令の１つ以上のモジュールとして実施することができる。これに代えて、あるいはこれに加えて、人工的に発生させた伝播信号、例えば、適切な受信装置に送信し、データ処理装置によって実行できるよう、情報をコード化するために生成されるマシン生成による電気的、光学的あるいは電磁的信号に、プログラム命令をコード化することができる。コンピュータ格納媒体は、機械読取り可能格納デバイス、機械読取り可能格納基板、ランダム若しくはシリアルアクセスメモリデバイス、又はこれらの１つ以上の組み合わせとすることができる。
【００７２】
用語「データ処理装置」、「コンピュータ」又は「電子コンピュータデバイス」（又は当業者が理解する均等物）は、データ処理ハードウェアを意味し、データを処理する全ての種類の装置、デバイス、及び機械を包含する。例としては、プログラム可能なプロセッサ、コンピュータ、又はマルチプルプロセッサ若しくはマルチプルコンピュータが挙げられる。この装置は、専用論理回路、例えば、中央演算処理装置（ＣＰＵ）、ＦＰＧＡ（フィールドプログラマブルゲートアレイ）、又はＡＳＩＣ（特定用途向け集積回路）であってもよい、又は、それらを更に含んでもよい。実施によっては、データ処理装置及び／又は専用論理回路は、ハードウェアベース及び／又はソフトウェアベースであってよい。この装置は、コンピュータプログラム用の実行環境を創出するコード、例えば、プロセッサファームウェア、プロトコルスタック、データベース管理システム、オペレーティングシステム、又はこれらの１つ以上の組み合わせを構成するコードを任意に含むことができる。本開示は、従来のオペレーティングシステムを含む、又は、含まない、データ処理装置の使用について熟慮している。
【００７３】
コンピュータプログラムは、プログラム、ソフトウェア、ソフトウェアアプリケーション、モジュール、ソフトウェアモジュール、スクリプト、又はコードとも呼ばれたり記載されたりすることがあるが、コンパイラ型若しくはインタープリタ型言語、又は宣言型若しくは手続型言語を含む任意の形態のプログラミング言語で書くことができ、スタンドアロンプログラム若しくはモジュール、構成要素、サブルーチン、又は計算環境での使用に適する他のユニットを含む任意の形態で展開できる。コンピュータプログラムは、ファイルシステム内のファイルに対応していてもよいが、必ずしもその必要はない。プログラムは、他のプログラム又はデータ、例えば、マークアップ言語文書、対象のプログラム専用の単一ファイル、又は複数の連携ファイル、例えば、１つ以上のモジュール、サブプログラム、又はコードの一部を記憶するファイルに記憶される１つ以上のスクリプトを保持するファイルの一部に格納できる。コンピュータプログラムは、１台すなわち１カ所のコンピュータ上で、又は、複数の場所に分散され通信ネットワークによって相互接続された複数のコンピュータ上で実行されるように展開できる。様々な図に示すプログラムの一部は、様々なオブジェクト、方法、又は他の工程を通じて様々な特徴及び機能を実施する個々のモジュールとして示されているが、プログラムは、これに代えて、サブモジュール、第三者によるサービス、構成要素、ライブラリ、及びそのようなものを必要に応じ複数含んでもよい。反対に、様々な構成要素の特徴及び機能を、適宜単一の構成要素にまとめてもよい。
【００７４】
本明細書に記載する工程及び論理フローは、入力データに対して作動し出力を生成することで機能を実行するために１つ以上のコンピュータプログラムを実行する１つ以上のプログラマブルコンピュータによって実行できる。工程及び論理フローは、ＣＰＵ、ＦＰＧＡ、又はＡＳＩＣのような専用論理回路によって実行することも、装置をこれらのものとして実行することもできる。
【００７５】
コンピュータプログラムの実行に適するコンピュータは、汎用若しくは専用のマイクロプロセッサ、その両方をベースとすることができる。一般に、ＣＰＵは、命令とデータとを読取り専用メモリ（ＲＯＭ）、又はランダムアクセスメモリ（ＲＡＭ）、又は両者から受信する。コンピュータの必須要素は、命令を実行又は実行するためのＣＰＵと、命令及びデータを格納するための１つ以上のメモリデバイスである。一般に、コンピュータは、更に、データを格納するための１つ以上の大容量記憶デバイス、例えば、磁気ディスク、光磁気ディスク、又は光ディスクを含む、又は、これらからデータを受信する、若しくはこれらへデータを転送するようにこれらに動作可能に連結されている、又は、その両方である。ただし、コンピュータは、こうしたデバイスを有する必要はない。更に、コンピュータは、別のデバイス、例えば、幾つか例を挙げると、携帯電話、携帯情報端末（ＰＤＡ）、携帯オーディオ若しくはビデオプレイヤ、ゲーム機、全地球測位システム（ＧＰＳ）受信機、又はポータブル格納デバイス、例えば、ユニバーサルシリアルバス（ＵＳＢ）フラッシュドライブに組込むことができる。
【００７６】
コンピュータプログラム命令及びデータの格納に適する（必要に応じ一時的又は非一時的な）コンピュータ読取り可能媒体は、全ての形態の不揮発性メモリ、媒体及びメモリデバイスを含み、例としては、半導体メモリデバイス、例えば消去可能プログラマブル読取専用メモリ（ＥＰＲＯＭ）、電気的消去可能プログラマブル読取専用メモリ（ＥＥＰＲＯＭ）、及びフラッシュメモリデバイス；磁気ディスク、例えば内蔵ハードディスク又はリムーバルディスク；光磁気ディスク；並びにＣＤ−ＲＯＭ、ＤＶＤ＋／−Ｒ、ＤＶＤ−ＲＡＭ、及びＤＶＤ−ＲＯＭディスクが挙げられる。メモリは、キャッシュ、クラス、フレームワーク、アプリケーション、バックアップデータ、ジョブ、ウェブページ、ウェブページテンプレート、データベーステーブル、ビジネス情報及び／又は動的な情報を格納するリポジトリ（ｒｅｐｏｓｉｔｏｒｙ）、及び任意のパラメータ、変数、アルゴリズム、命令、規則、制約又はこれらへの参照を含む他の任意の適切な情報といった様々なオブジェクト又はデータを格納してもよい。加えて、メモリは、例えばログ、ポリシ、セキュリティデータ又はアクセスデータ、報告ファイルなどの他の任意適切なデータを含んでもよい。プロセッサ及びメモリは、専用論理回路によって補完されても、これに組み込まれてもよい。
【００７７】
ユーザとのインタラクションを提供するために、本明細書で記載された主題の実施は、ユーザに情報を表示するためのディスプレイデバイス、例えば陰極線管（ＣＲＴ）、液晶ディスプレイ（ＬＣＤ）、発光ダイオード（ＬＥＤ）又はプラズマモニターと、ユーザがコンピュータに入力を提供するキーボード及びポインティングデバイス、例えばマウス、トラックボール、トラックパッドとを有するコンピュータ上で実施できる。入力が、タブレットコンピュータの感圧性表面、静電容量式若しくは電気式のセンシングを使用したマルチタッチスクリーン、又は別のタイプのタッチスクリーンといった、タッチスクリーンを用いてコンピュータに提供することもできる。他の種類のデバイスが、ユーザとインタラクションするために使用でき、例えば、ユーザに提供されるフィードバックは、（視覚的フィードバック、聴覚的フィードバック、触覚的フィードバック等の）あらゆる形態の感覚のフィードバックであることができる。ユーザからの入力は、音響入力、音声入力、触覚入力を包含する、あらゆる形式で受信できる。さらに、コンピュータは、ユーザによって使用されるクライアントコンピューティングデバイスからのドキュメントを受信し及び該ドキュメントをデバイスに送信することによって（例えば、Ｗｅｂブラウザから受けたリクエストに応答してユーザのクライアントデバイス上においてＷｅｂブラウザにＷｅｂページを送ることにより）ユーザとインタラクションできる。
【００７８】
用語「グラフィカルユーザインタフェース」又は「ＧＵＩ」は、単数又は複数で使用して、一又は複数のグラフィカルユーザインタフェース及び特定のグラフィカルユーザインタフェースのディスプレイの各々を説明できる。したがって、ＧＵＩは、Ｗｅｂブラウザ、タッチスクリーン、又はコマンドラインインタフェース（ＣＬＩ）を含むが、これらに限定されることなく、任意のグラフィカルユーザインタフェースを提示することができ、コマンドラインインタフェースは、情報を処理すると共に情報の結果をユーザに効率的に提示する。一般的に、ＧＵＩは、いくつかのユーザインタフェース（ＵＩ）要素、例えばインタラクティブフィールド、プルダウンリスト、ビジネススイートユーザが操作できるボタンを含むことができ、これらのうちのいくつか又は全ては、Ｗｅｂブラウザに関連付けられる。これら及び他のＵＩ要素は、Ｗｅｂブラウザの機能に関連付けられまたＷｅｂブラウザの機能を表すことができる。
【００７９】
本明細書で記述された主題の実施は、バックエンドコンポーネントを例えばデータサーバとして含むコンピューティングシステム、ミドルウェアコンポーネントを、例えばアプリケーションサーバとして含むコンピューティングシステム、フロントエンドコンポーネントを、例えばクライアントコンピュータとして含むコンピューティングシステム、及び、一又は複数のこのようなバックエンド、ミドルウェア、又はフロントエンドコンポーネントの任意の組み合わせを含むコンピューティングシステムにおいて実施でき、クライアントコンピュータは、ユーザが本明細書において記述される主題の実施とインタラクションできるグラフィカルユーザインタフェース又はＷｅｂブラウザを有する。システムのコンポーネントは、有線及び／又は無線のデジタルデータ通信、例えば通信ネットワークの任意の形式又は媒体によって相互接続されることができる。通信ネットワークの例示は、ローカルエリアネットワーク（ＬＡＮ）、無線アクセスネットワーク（ＲＡＮ）、メトロポリタンエリアネットワーク（ＭＡＮ）、広域ネットワーク（ＷＡＮ）、マイクロ波アクセスの世界的な相互運用性（ＷＩＭＡＸ）、例えば９０２．１１ａ／ｂ／ｇ／ｎ及び９０２．２０を用いる無線ローカルエリア（ＷＬＡＮ）、インターネット及び別の通信システム又はい又は複数の地点に配置された複数のシステムを含む。ネットワークは、例えば、インターネットプロトコル（ＩＰ）パケット、フレームリレーフレーム、非同期転送モード（ＡＴＭ）セル、音声、ビデオ、データ、又はネットワークアドレス間の他の適切な情報と通信できる。
【００８０】
コンピューティングシステムは、クライアント及びサーバを含むことができる。クライアント及びサーバは、一般的には、互いに離れており、また典型的には、通信ネットワークを介してインタラクションする。クライアント及びサーバの関係は、それぞれのコンピュータ上で動作すると共に互いにクライアント・サーバ関係にあるコンピュータプログラムのおかげで生じる。
【００８１】
実施によっては、計算システムの構成要素の何れか又は全ては、ハードウェア及びソフトウェア共に、アプリケーションプログラミングインタフェース（ＡＰＩ）又はサービスレイヤを用いて互いに、又はインタフェースとインタフェース接続してもよい。ＡＰＩは、ルーチン、データ構造、及びオブジェクトクラスのための仕様を含んでもよい。ＡＰＩは、コンピュータ言語非依存であっても依存であってもよく、完全インタフェース、単一機能、又は一組のＡＰＩを指してもよい。サービスレイヤは、計算システムにソフトウェアサービスを提供する。計算システムの様々な構成要素の機能は、このサービスレイヤを介して全てのサービス消費者がアクセス可能であってもよい。ソフトウェアサービスは、定義されたインタフェースを介して再利用可能な定義されたビジネス機能を提供する。例えば、インタフェースは、各種適切なフォーマットでデータを提供する適切な各種言語で書かれたソフトウェアであってもよい。ＡＰＩ及び／又はサービスレイヤは、計算システムの他の構成要素に関連する一体の構成要素及び／又はスタンドアロン構成要素であってもよい。更に、サービスレイヤの何れか又は全ての部分は、本開示の範囲から逸脱することなく、別のソフトウェアモジュール、企業アプリケーション、又はハードウェアモジュールの子モジュール又はサブモジュールとして実装してもよい。
【００８２】
本明細書は多くの特定の実施の詳細を含む一方で、これらは、任意の発明の範囲又は請求され得る範囲の制限として解釈されるべきではなく、むしろ、特定の発明の特定の実施固有の特徴の説明として解釈されるべきである。個別の実施の観点で本明細書において説明された特定の機能は、組み合わせて又は単一の実施で実現できる。逆に、単一の実施の観点で説明された様々な特徴は、複数の実施で個別に、又は任意のサブコンビネーションで実施することもできる。さらには、既述の特徴は特定の組み合わせで動作するものとして説示され、最初にそのようなものとして主張する場合もあるが、一又は複数の特徴は、請求された組み合わせから場合によっては削除され、またサブコンビネーション又はサブコンビネーションの変形であり得る。
【００８３】
主題の特定の実施について説明した。記載された実施の置換、変更、及び他の実施は、当業者には明らかである以下の請求の範囲内である。操作は特定の順序で特許請求の範囲に又は図面に描かれているが、これは、望ましい結果を達成するために、示された特定の順序で又は順番でそのような操作が実行されること、又は全ての説明された操作が実行される（いくつかの操作はオプションと見なされる）ことを要求するものとして理解されるべきではない。特定の状況では、マルチタスク又は並列処理が有利であり、それが適切と思われる場合に実行される。
【００８４】
さらに、既述の実施における様々なシステムモジュール及びコンポーネントの分離又は統合が、全ての実施においてそのような分離又は統合を必要とするものとして理解されるべきではなく、記載されたプログラムコンポーネント及びシステムは、一般的には、単一のソフトウェア製品に統合され、又は複数のソフトウェア製品にパッケージ化されることは理解されるべきである。
【００８５】
これに従って、既述の例示的な実施は、本願を定義し又は制約しない。他の変更、置換及び変更も、本開示の範囲及び精神から逸脱することなく可能である。
【符号の説明】
【００８６】
１００  坑井システム
１０１  地表
１０２ａ〜１０２ｃ  坑井
１０３  炭化水素貯留層
１０４ａ〜１０４ｃ  ウェルヘッド
１０６ａ〜１０６ｃ  地下ゾーン
１０８ａ〜１０８ｃ  トレーサー
１１０  コンバイナ
１２０  ＧＯＳＰ
１２１、１２３、１２５  分離ライン
１２２  セパレータ
１２４  流体バルブ
１２６  フィルタ
１２７  流体サンプリングライン
１２８  ポンプ
１３０  トレーサー検知システム
【図１Ａ】
2020515743.tif 000003
【図１Ｂ】
2020515743.tif 000004
【図２】
2020515743.tif 000005
【図３Ａ】
2020515743.tif 000006
【図３Ｂ】
2020515743.tif 000007
【図４】
2020515743.tif 000008
【国際調査報告】
2020515743.tif 000009
2020515743.tif 000010
2020515743.tif 000011
2020515743.tif 000012
2020515743.tif 000013